【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
用いる記録媒体と前記記録媒体への記録に用いる記録剤量に応じたルックアップテーブルを作成し、該作成されたルックアップテーブルを用いて入力された画像データを画像処理する画像処理装置であって、
前記記録媒体の種類に応じた基準のルックアップテーブルと前記作成されるルックアップテーブルの各格子点に設定可能な制限値とを保持する保持手段と、
用いる記録媒体の種類と最大の記録剤量とを設定する設定手段と、
前記保持手段に保持された基準のルックアップテーブルと前記設定手段によって設定された記録媒体の種類と最大の記録剤量とに基づいて仮のルックアップテーブルを作成する作成手段と、
前記作成手段により作成された仮のルックアップテーブルの各格子点の値と前記各格子点に設定可能な制限値とを比較する比較手段と、
前記比較手段による比較の結果に基づいて、各格子点の値が前記各格子点に設定可能な制限値以下となるようにルックアップテーブルを生成する生成手段と、
前記生成手段により生成されたルックアップテーブルを用いて前記入力された画像データを画像処理する画像処理手段とを有することを特徴とする画像処理装置。
【請求項２】
前記ルックアップテーブルは、３次元の色分解のルックアップテーブルであり、
前記記録媒体の種類には、普通紙、アート紙、光沢紙を含むことを特徴とする請求項１に記載の画像処理装置。
【請求項３】
前記保持手段は、前記色分解のルックアップテーブルに含まれる少なくとも１つの格子点に設定される制限値を保持することを特徴とする請求項２に記載の画像処理装置。
【請求項４】
前記生成手段は、前記仮のルックアップテーブルの各格子点の値が前記各格子点に設定可能な制限値より大きい場合には、前記ルックアップテーブルの値が前記制限値以下となるように各格子点の値を制限する一方、前記各格子点に設定可能な制限値が前記仮のルックアップテーブルの各格子点の値以上の場合には、前記仮のルックアップテーブルの値をそのまま用いるようにして、前記ルックアップテーブルを作成することを特徴とする請求項１乃至３のいずれか１項に記載の画像処理装置。
【請求項５】
前記保持手段は、前記基準のルックアップテーブルとして、前記記録剤量の制限の範囲の上限となる第１の基準のルックアップテーブルと前記記録剤量の制限の範囲の下限となる第２の基準のルックアップテーブルとを保持し、
前記作成手段は、前記設定手段によって設定された最大の記録剤量に応じて、前記第１の基準のルックアップテーブルと前記第２の基準のルックアップテーブルとの少なくともいずれかを用いて前記仮のルックアップテーブルを作成することを特徴とする請求項１乃至３のいずれか１項に記載の画像処理装置。
【請求項６】
前記作成手段は、前記設定手段によって設定された最大の記録剤量が大きい場合は、前記第１の基準のルックアップテーブルを選択し、前記設定手段によって設定された最大の記録剤量が小さい場合は、前記第２の基準のルックアップテーブルを選択することを特徴とする請求項５に記載の画像処理装置。
【請求項７】
前記作成手段は、前記第１の基準のルックアップテーブルと前記第２の基準のルックアップテーブルとを加重平均して、新たな基準のルックアップテーブルを生成し、該生成された新たな基準のルックアップテーブルを用いて前記仮のルックアップテーブルを作成することを特徴とする請求項５に記載の画像処理装置。
【請求項８】
前記生成手段は、前記仮のルックアップテーブルの各格子点の値が前記第１の基準のルックアップテーブルの各格子点の値より大きい場合には、前記ルックアップテーブルの値が前記第１の基準のルックアップテーブルの各格子点の値以内となるように各格子点の値を制限する一方、前記第１の基準のルックアップテーブルの各格子点の値が前記仮のルックアップテーブルの各格子点の値以上の場合には、前記仮のルックアップテーブルの値をそのまま用いるようにして、前記ルックアップテーブルを作成することを特徴とする請求項５乃至７のいずれか１項に記載の画像処理装置。
【請求項９】
前記設定手段は、ユーザが設定を行なうためのユーザインタフェースを有することを特徴とする請求項１乃至８のいずれか１項に記載の画像処理装置。
【請求項１０】
前記画像処理手段により画像処理された画像データを記録装置に転送する転送手段をさらに有することを特徴とする請求項１乃至９のいずれか１項に記載の画像処理装置。
【請求項１１】
前記記録装置はインクジェット方式に従って記録を行なう記録ヘッドを備え、
前記記録剤量はインク量であることを特徴とする請求項１０に記載の画像処理装置。
【請求項１２】
前記インク量は、前記記録ヘッドにより記録される解像度の画素が何滴のインク液滴で記録されるのかに従って定義されることを特徴とする請求項１１に記載の画像処理装置。
【請求項１３】
コンピュータに請求項１乃至１２のいずれか１項に記載の画像処理装置の各手段として機能させるためのプログラム。
【請求項１４】
用いる記録媒体と前記記録媒体への記録に用いる記録剤量に応じたルックアップテーブルを作成し、該作成されたルックアップテーブルを用いて入力された画像データを画像処理する画像処理装置の画像処理方法であって、
前記記録媒体の種類に応じた基準のルックアップテーブルと前記作成されるルックアップテーブルの各格子点に設定可能な制限値とを保持する保持工程と、
用いる記録媒体の種類と最大の記録剤量とを設定する設定工程と、
前記保持工程において保持された基準のルックアップテーブルと前記設定工程において設定された記録媒体の種類と最大の記録剤量とに基づいて仮のルックアップテーブルを作成する作成工程と、
前記作成工程において作成された仮のルックアップテーブルの各格子点の値と前記各格子点に設定可能な制限値とを比較する比較工程と、
前記比較工程における比較の結果に基づいて、各格子点の値が前記各格子点に設定可能な制限値以下となるようにルックアップテーブルを生成する生成工程と、
前記生成工程において生成されたルックアップテーブルを用いて前記入力された画像データを画像処理する画像処理工程とを有することを特徴とする画像処理方法。
【手続補正２】
【補正対象書類名】明細書
【補正対象項目名】００１１
【補正方法】変更
【補正の内容】
【００１１】
即ち、用いる記録媒体と前記記録媒体への記録に用いる記録剤量に応じたルックアップテーブルを作成し、該作成されたルックアップテーブルを用いて入力された画像データを画像処理する画像処理装置であって、前記記録媒体の種類に応じた基準のルックアップテーブルと前記作成されるルックアップテーブルの各格子点に設定可能な制限値とを保持する保持手段と、用いる記録媒体の種類と最大の記録剤量とを設定する設定手段と、前記保持手段に保持された基準のルックアップテーブルと前記設定手段によって設定された記録媒体の種類と最大の記録剤量とに基づいて仮のルックアップテーブルを作成する作成手段と、前記作成手段により作成された仮のルックアップテーブルの各格子点の値と前記各格子点に設定可能な制限値とを比較する比較手段と、前記比較手段による比較の結果に基づいて、各格子点の値が前記各格子点に設定可能な制限値以下となるようにルックアップテーブルを生成する生成手段と、前記生成手段により生成されたルックアップテーブルを用いて前記入力された画像データを画像処理する画像処理手段とを有することを特徴とする。
【手続補正３】
【補正対象書類名】明細書
【補正対象項目名】００１３
【補正方法】変更
【補正の内容】
【００１３】
さらに本発明を別の側面から見れば、用いる記録媒体と前記記録媒体への記録に用いる記録剤量に応じたルックアップテーブルを作成し、該作成されたルックアップテーブルを用いて入力された画像データを画像処理する画像処理装置の画像処理方法であって、前記記録媒体の種類に応じた基準のルックアップテーブルと前記作成されるルックアップテーブルの各格子点に設定可能な制限値とを保持する保持工程と、用いる記録媒体の種類と最大の記録剤量とを設定する設定工程と、前記保持工程において保持された基準のルックアップテーブルと前記設定工程において設定された記録媒体の種類と最大の記録剤量とに基づいて仮のルックアップテーブルを作成する作成工程と、前記作成工程において作成された仮のルックアップテーブルの各格子点の値と前記各格子点に設定可能な制限値とを比較する比較工程と、前記比較工程における比較の結果に基づいて、各格子点の値が前記各格子点に設定可能な制限値以下となるようにルックアップテーブルを生成する生成工程と、前記生成工程において生成されたルックアップテーブルを用いて前記入力された画像データを画像処理する画像処理工程とを有することを特徴とする画像処理方法を備える。